(57)【要約】【課題】簡易な構成で画像形成装置に保存する画像データの秘匿性を向上する画像形成システムを提供する。【解決手段】画像形成システム９は、画像を形成するデジタル複合機１０と、デジタル複合機１０に着脱可能に設けられ、データを保存するＵＳＢメモリ２４とを含む。デジタル複合機１０は、データを保存するハードディスク１７と、ＵＳＢメモリ２４を装着する外部記憶装置接続部２３と、１つの画像データ３１を所定の分割情報に基づいて第１分割データ３３、３５および第２分割データ３４に分割する分割手段と、ハードディスク１７に第１分割データ３３、３５を保存し、外部記憶装置接続部２３を介して装着されたＵＳＢメモリ２４に第２分割データ３４を保存するよう制御する制御手段とを備える。【選択図】図１
2009000938.tif 000002
【特許請求の範囲】
【請求項１】
画像を形成する画像形成装置と、前記画像形成装置に着脱可能に設けられ、データを保存する外部記憶装置とを含む画像形成システムであって、
前記画像形成装置は、データを保存する内部記憶装置と、
前記外部記憶装置を装着する外部記憶装置接続部と、
１つの画像データを所定の分割情報に基づいて第１分割データおよび第２分割データに分割する分割手段と、
前記内部記憶装置に前記第１分割データを保存し、前記外部記憶装置接続部を介して装着された前記外部記憶装置に前記第２分割データを保存するよう制御する制御手段とを備える、画像形成システム。
【請求項２】
前記画像形成装置は、前記第１分割データを前記内部記憶装置から読出し、前記第２分割データを前記外部記憶装置から読出す読出し手段と、
前記読出し手段により読出された前記第１分割データおよび前記第２分割データから、前記分割情報に基づいて、前記画像データに復元する復元手段とを備える、請求項１に記載の画像形成システム。
【請求項３】
前記画像形成装置は、前記画像データのデータサイズを小さくするよう前記画像データを圧縮する圧縮手段を備え、
前記分割手段は、前記圧縮手段により圧縮された画像データを分割する、請求項１または２に記載の画像形成システム。
【請求項４】
前記画像形成装置は、前記圧縮手段により圧縮された前記画像データを伸張して、元のデータサイズに戻す伸張手段を備える、請求項３に記載の画像形成システム。
【請求項５】
前記外部記憶装置は、ＵＳＢメモリである、請求項１〜４のいずれかに記載の画像形成システム。
【請求項６】
前記画像データは、画像の属性情報を示す定型部と画像の構成情報を示す内容部とを含み、
前記分割手段は、前記第１分割データに前記定型部を含むように前記画像データを分割する、請求項１〜５のいずれかに記載の画像形成システム。
【請求項７】
前記外部記憶装置は、それ自身を識別する識別情報を含み、
前記画像形成装置は、前記識別情報によりデータを保存可能な前記外部記憶装置であるか否かを判断する判断手段を備える、請求項１〜６のいずれかに記載の画像形成システム。
【請求項８】
データを保存する内部記憶装置と、
データを保存する外部記憶装置を着脱可能な外部記憶装置接続部と、
１つの画像データを所定の分割情報に基づいて第１分割データおよび第２分割データに分割する分割手段と、
前記内部記憶装置に前記第１分割データを保存し、前記外部記憶装置接続部を介して装着された前記外部記憶装置に前記第２分割データを保存するよう制御する制御手段とを備える、画像形成装置。
【請求項９】
データを保存する内部記憶装置と、１つの画像データを所定の分割情報に基づいて第１分割データおよび第２分割データに分割する分割手段と、前記内部記憶装置に前記第１分割データを保存するよう制御する制御手段とを備える画像形成装置に着脱可能であり、データを保存する外部記憶装置であって、
前記画像形成装置に備えられる外部記憶装置接続部を介して前記画像形成装置に装着され、前記制御手段により、前記第２分割データを保存される、外部記憶装置。
【発明の詳細な説明】
【技術分野】
【０００１】
この発明は、画像形成システム、画像形成装置および外部記憶装置に関し、特に画像データを保存する機能を備えた画像形成システム、画像形成装置および外部記憶装置に関するものである。
【背景技術】
【０００２】
一般的な画像形成装置には、形成する画像の画像データを保存する保存機能が備えられている。ユーザは、画像形成装置に保存された画像データを利用することにより、画像を形成する毎に、その画像を画像形成装置に入力する必要なく、画像を形成することができる。
【０００３】
従来の画像形成装置においては、画像データの悪用防止の観点から、画像データを画像形成装置に保存する際、画像データに暗号化処理を施してから画像形成装置に保存することにしている。
【０００４】
また、画像データを画像形成装置に保存する技術が、特開平５−２０４１４号公報（特許文献１）および特開平１１−２９８７０２号公報（特許文献２）に開示されている。
【０００５】
特許文献１においては、画像データをデータサイズの小さい画像データとして読取り、そのまま画像形成装置の内部に設けられたハードディスクや、画像形成装置に着脱可能な外部記憶装置に保存している。
【０００６】
特許文献２においては、画像形成装置に備えられるＤＲＡＭをバッファ領域とファイル領域に分割し、バッファ領域には一時的に、ファイル領域には長期的に、画像データを保存している。
【特許文献１】特開平５−２０４１４号公報
【特許文献２】特開平１１−２９８７０２号公報
【発明の開示】
【発明が解決しようとする課題】
【０００７】
特許文献１および特許文献２によると、画像データをそのまま、すなわち、画像データに暗号化処理を施すことなく画像形成装置や外部記憶装置に保存している。そうすると、画像形成装置を利用するユーザ誰もが、画像形成装置に保存された画像データを用いて、画像を形成することができ、画像データが悪用される恐れがある。また外部記憶装置を盗まれた場合も同様に、画像データが悪用される恐れがある。
【０００８】
一方、画像データに暗号化処理を施すには、暗号化処理機構を新たに画像形成装置に設ける必要がある。そうすると、全体的なハードウェアの構成が大きくなり、複雑になってしまう。また、暗号化処理のアルゴリズムは複雑であるため、全体的なソフトウェアの構成も複雑になってしまう。さらに、暗号化処理を施され、画像形成装置に保存された画像データについては、暗号が解読されて、画像データが再現される恐れがある。そうすると、画像データが悪用される恐れがある。
【０００９】
この発明の目的は、簡易な構成で画像形成装置に保存する画像データの秘匿性を向上する画像形成システムを提供することである。
【００１０】
この発明の他の目的は、簡易な構成で保存する画像データの秘匿性を向上する画像形成装置を提供することである。
【００１１】
この発明のさらに他の目的は、簡易な構成で保存する画像データの秘匿性を向上する外部記憶装置を提供することである。
【課題を解決するための手段】
【００１２】
この発明に係る画像形成システムは、画像を形成する画像形成装置と、画像形成装置に着脱可能に設けられ、データを保存する外部記憶装置とを含む。画像形成装置は、データを保存する内部記憶装置と、外部記憶装置を装着する外部記憶装置接続部と、１つの画像データを所定の分割情報に基づいて第１分割データおよび第２分割データに分割する分割手段と、内部記憶装置に第１分割データを保存し、外部記憶装置接続部を介して装着された外部記憶装置に第２分割データを保存するよう制御する制御手段とを備える。
【００１３】
ここで、所定の分割情報とは、画像データを何個の分割データに分割するか、各分割データは元の画像データのどの位置に配置されているか等を示す情報を言う。
【００１４】
好ましくは、画像形成装置は、第１分割データを内部記憶装置から読出し、第２分割データを外部記憶装置から読出す読出し手段と、読出し手段により読出された第１分割データおよび第２分割データから、分割情報に基づいて、画像データに復元する復元手段とを備える。
【００１５】
さらに好ましくは、画像形成装置は、画像データのデータサイズを小さくするよう画像データを圧縮する圧縮手段を備え、分割手段は、圧縮手段により圧縮された画像データを分割する。
【００１６】
さらに好ましくは、画像形成装置は、圧縮手段により圧縮された画像データを伸張して、元のデータサイズに戻す伸張手段を備える。
【００１７】
さらに好ましくは、外部記憶装置は、ＵＳＢメモリである。
【００１８】
さらに好ましくは、画像データは、画像の属性情報を示す定型部と画像の構成情報を示す内容部とを含み、分割手段は、第１分割データに定型部を含むように画像データを分割する。
【００１９】
ここで、定型部とは、画像の形式やサイズ等の画像の属性情報を示す部分である。内容部とは、実際に表示される画像を形成する点（ドット）等の構成情報を示す部分である。
【００２０】
さらに好ましくは、外部記憶装置は、それ自身を識別する識別情報を含み、画像形成装置は、識別情報によりデータを保存可能な外部記憶装置であるか否かを判断する判断手段を備える。
【００２１】
この発明の他の局面においては、画像形成装置は、データを保存する内部記憶装置と、データを保存する外部記憶装置を着脱可能な外部記憶装置接続部と、１つの画像データを所定の分割情報に基づいて第１分割データおよび第２分割データに分割する分割手段と、内部記憶装置に第１分割データを保存し、外部記憶装置接続部を介して装着された外部記憶装置に第２分割データを保存するよう制御する制御手段とを備える。
【００２２】
この発明のさらに他の局面においては、外部記憶装置は、データを保存する内部記憶装置と、１つの画像データを所定の分割情報に基づいて第１分割データおよび第２分割データに分割する分割手段と、内部記憶装置に第１分割データを保存するよう制御する制御手段とを備える画像形成装置に着脱可能であり、データを保存する。外部記憶装置は、画像形成装置に備えられる外部記憶装置接続部を介して画像形成装置に装着され、制御手段により、第２分割データを保存される。
【発明の効果】
【００２３】
このような画像形成システムは、１つの画像データを分割手段により所定の分割情報に基づいて第１分割データおよび第２分割データに分割し、画像形成装置に設けられた内部記憶装置と、画像形成装置に着脱可能に設けられた外部記憶装置とに分けて別々に保存することができる。そうすると、いずれか一方に保存された分割データのみから、すなわち、内部記憶装置に保存された第１分割データのみ、または、外部記憶装置に保存された第２分割データのみから、元の画像データ全体を再現することは困難となる。この場合、暗号化処理機構のような複雑な機構を設ける必要はない。したがって、簡易な構成で画像形成装置に保存する画像データの秘匿性を向上することができる。
【００２４】
また、このような画像形成装置は、１つの画像データを分割手段により所定の分割情報に基づいて第１分割データおよび第２分割データに分割し、画像形成装置に設けられた内部記憶装置と、画像形成装置に着脱可能に設けられた外部記憶装置とに分けて別々に保存することができる。そうすると、内部記憶装置に保存された第１分割データのみから、元の画像データ全体を再現することは困難となる。したがって、簡易な構成で保存する画像データの秘匿性を向上することができる。
【００２５】
また、このような外部記憶装置は、画像形成装置に設けられた分割手段により、１つの画像データを所定の分割情報に基づいて第１分割データおよび第２分割データに分割し、画像形成装置に設けられた内部記憶装置と、画像形成装置に着脱可能に設けられた外部記憶装置とに分けて別々に保存することができる。そうすると、外部記憶装置に保存された第２分割データのみから、元の画像データ全体を再現することは困難となる。したがって、簡易な構成で保存する画像データの秘匿性を向上することができる。
【発明を実施するための最良の形態】
【００２６】
以下、この発明の実施の形態を図面を参照して説明する。図１は、この発明の一実施形態に係る画像形成システム９の構成を示すブロック図である。ここでは、画像形成装置をデジタル複合機１０に適用している。図１を参照して、画像形成システム９は、デジタル複合機１０と、画像データを保存可能な外部記憶装置としてのＵＳＢメモリ２４とを含む。
【００２７】
デジタル複合機１０は、デジタル複合機１０全体を制御する制御部１１と、画像データ等の展開や読出しを行うためのＤＲＡＭ１２と、デジタル複合機１０の有する情報を表示する表示画面を含み、デジタル複合機１０におけるユーザとのインターフェースとなる操作部１３と、原稿を自動的に所定の原稿読取り位置へ搬送する原稿送り装置１４と、原稿送り装置１４によって搬送されてきた原稿の画像を所定の読取り位置でスキャナで読取る画像読取り部１５と、画像読取り部１５で読取られた原稿等からその画像を形成する画像形成部１６と、画像データ等を保存する内部記憶装置としてのハードディスク１７と、公衆回線２０に接続されるＦＡＸ通信部１８と、ネットワーク２１と接続するためのネットワークＩＦ（インターフェース）部１９とを備える。
【００２８】
また、デジタル複合機１０は、ＵＳＢメモリ２４を着脱可能である。ＵＳＢメモリ２４は、デジタル複合機１０に備えられる外部記憶装置接続部２３を介して、デジタル複合機１０に装着される。このような外部記憶装置としてのＵＳＢメモリ２４は、取扱い性が良好であるため、ユーザは、容易に携帯することができる。
【００２９】
制御部１１は、画像読取り部１５から与えられる原稿の画像データをＤＲＡＭ１２に圧縮符号化して展開し、ＤＲＡＭ１２に展開した画像データを読出し、伸張復号化して画像形成部１６により出力する。詳細については、後述する。
【００３０】
デジタル複合機１０は、画像読取り部１５により読取られた原稿を用いて、ＤＲＡＭ１２を介して画像形成部１６において画像を形成することにより、複写機として作動する。また、デジタル複合機１０は、ネットワークＩＦ部１９を通じて、ネットワーク２１に接続されたパソコン２２から送信された画像データを用いて、ＤＲＡＭ１２を介して画像形成部１６において画像を形成することにより、プリンターとして作動する。さらに、デジタル複合機１０は、ＦＡＸ通信部１８を通じて、公衆回線２０から送信された画像データを用いて、ＤＲＡＭ１２を介して画像形成部１６において画像を形成することにより、また、画像読取り部１５により読取られた原稿の画像データを、ＦＡＸ通信部１８を通じて公衆回線２０に画像データを送信することにより、ファクシミリ装置として作動する。すなわち、デジタル複合機１０は、画像処理に関し、複写（コピー）機能、プリンター機能、ＦＡＸ機能等、複数の機能を有する。さらに、各機能に対しても、さらに詳細に設定可能な機能を有する。
【００３１】
なお、図１において、太線の矢印は画像データの流れを示しており、細線の矢印は制御信号または制御データの流れを示している。
【００３２】
図２は、デジタル複合機１０によって形成される画像の元となる画像データ３１の一般的な構成を示す概念図である。図２を参照して、画像データ３１は、定型部３１ａと内容部３１ｂとを含む。定型部３１ａとは、画像の形式やサイズ等の画像の属性情報を示す部分である。内容部３１ｂとは、実際に表示される画像を形成する点（ドット）等の構成情報を示す部分である。ここでは、画像データ３１は、先頭に定型部３１ａが配置され、その後に内容部３１ｂが配置される構成としている。
【００３３】
デジタル複合機１０は、画像データ３１のデータサイズを小さくするよう画像データ３１を圧縮可能である。ここで、圧縮のアルゴリズムについて簡単に説明すると、まず、画像データ３１を構成する各データについて、配置された際の前データとの差分を算出する。そして、その差分を符号データに変換する。このようにして、画像データ３１を圧縮してデータサイズを小さくする。したがって、圧縮すると、元の画像データ３１とは異なる圧縮画像データとなる。ここで、制御部１１は、圧縮手段として作動する。図３は、圧縮手段により圧縮された圧縮画像データ３２の一般的な構成を示す概念図である。圧縮画像データ３２は、画像データ３１の定型部３１ａに対応する定型部３２ａと画像データ３１の内容部３１ｂに対応する内容部３２ｂとを含む。
【００３４】
デジタル複合機１０は、圧縮画像データ３２を伸張し、元の画像データ３１に戻す。ここで、制御部１１は、伸張手段として作動する。
【００３５】
次に、デジタル複合機１０において、ユーザが画像データ３１を保存する場合について説明する。図４は、デジタル複合機１０において、ユーザが画像データ３１を保存する場合のフローチャートである。図１〜図４を参照して、まず、ユーザは、デジタル複合機１０に備えられる外部記憶装置接続部２３にＵＳＢメモリ２４を装着し、ＵＳＢメモリ２４に画像データ３１を保存可能な状態にする（図４において、ステップＳ１１、以下ステップを省略する）。
【００３６】
制御部１１は、ユーザが保存したい画像データ３１を画像読取り部１５等から読取る（Ｓ１２）。次に、制御部１１は、読取った画像データ３１を上記したように圧縮する（Ｓ１３）。その後、制御部１１は、圧縮画像データ３２を、所定の分割情報に基づいて、第１分割データ３３、３５および第２分割データ３４に分割する（Ｓ１４）。
【００３７】
ここで、圧縮画像データ３２の分割について説明する。デジタル複合機１０は、圧縮画像データ３２を、２つ以上のデータ群に分割可能である。ここで、制御部１１は、分割手段として作動する。分割においては、所定の分割情報に基づいて分割する。ここでは、図３に示すように圧縮画像データ３２を、第１分割データ３３、３５として２つ、第２分割データ３４として１つ、計３分割している。第１分割データ３３は、定型部３２ａとなるように、第２分割データ３４は、内容部３２ｂの前部分となるように、第１分割データ３５は、内容部３２ｂの後部分となるように、分割している。
【００３８】
圧縮画像データ３２を分割後、制御部１１は、第１分割データ３３、３５をハードディスク１７に保存し、第２分割データ３４をＵＳＢメモリ２４に保存する（Ｓ１５、Ｓ１６）。その後、ユーザは、ＵＳＢメモリ２４をデジタル複合機１０から取り外し、自らが携帯する（Ｓ１７）。なお、分割情報についても、ハードディスク１７等に保存される。
【００３９】
このように、１つの画像データ３１を分割手段により所定の分割情報に基づいて第１分割データ３３、３５および第２分割データ３４に分割し、デジタル複合機１０に設けられたハードディスク１７と、デジタル複合機１０に着脱可能に設けられたＵＳＢメモリ２４とに分けて別々に保存することができる。そうすると、いずれか一方に保存された分割データのみから、すなわち、ハードディスク１７に保存された第１分割データ３３、３５のみ、または、ＵＳＢメモリ２４に保存された第２分割データ３４のみから、元の画像データ３１全体を再現することは困難となる。この場合、暗号化処理機構のような複雑な機構を設ける必要はない。したがって、簡易な構成でデジタル複合機１０に保存する画像データ３１の秘匿性を向上することができる。
【００４０】
また、画像データ３１を圧縮すると、元の画像データ３１とは異なる圧縮画像データ３２となる。圧縮は、前データとの差分を利用して符号データに変換するため、前のデータがなければ、後のデータを再現することは、より困難となる。したがって、画像データ３１の秘匿性をより向上することができる。さらに、画像データ３１を圧縮してデータサイズを小さくすることにより、保存領域を小さくしてハードディスク１７やＵＳＢメモリ２４を有効に利用することができる。
【００４１】
また、分割においては、第１分割データ３３、３５として２つ、第２分割データ３４として１つ、計３分割している。そうすると、後述するように、それぞれの分割データを分割情報無しでその配置を正しく復元することが、より困難となる。したがって、画像データ３１の秘匿性をより向上することができる。
【００４２】
さらに、分割においては、第１分割データ３３に、定型部３２ａを含むように分割している。そうすると、誰もが利用できるデジタル複合機１０に保存されるのは、定型部３２ａとなり、ユーザが携帯するＵＳＢメモリ２４に保存されるのは、内容部３２ｂとなる。定型部３２ａは、上記した通り、画像の属性情報を示す部分である。この場合、誰もが利用できるデジタル複合機１０に保存される第１分割データ３３を用いて、元の画像データ３１を再現することは、困難である。したがって、画像データ３１の秘匿性をより向上することができる。
【００４３】
次に、上記において、デジタル複合機１０およびＵＳＢメモリ２４に保存した圧縮画像データ３２から、ユーザが画像を形成する場合について説明する。図５は、デジタル複合機１０およびＵＳＢメモリ２４に保存した圧縮画像データ３２から、ユーザが画像を形成する場合のフローチャートである。図１〜図３および図５を参照して、まず、ユーザは、デジタル複合機１０に備えられる外部記憶装置接続部２３に、ＵＳＢメモリ２４を装着し、ＵＳＢメモリ２４から第２分割データ３４を読出し可能な状態にする（Ｓ２１）。そして、ユーザは、デジタル複合機１０およびＵＳＢメモリ２４に保存した圧縮画像データ３２から、画像を形成するよう、操作部１３より入力する。そうすると、制御部１１は、ハードディスク１７に保存された第１分割データ３３、３５を読出し、ＵＳＢメモリ２４に保存された第２分割データ３４を読出す（Ｓ２２、Ｓ２３）。ここで、制御部１１は、読出し手段として作動する。
【００４４】
第１分割データ３３、３５および第２分割データ３４を読出すと、制御部１１は、分割情報に基づいて、第１分割データ３３、３５および第２分割データ３４から、圧縮画像データ３２に復元する（Ｓ２４）。
【００４５】
ここで、第１分割データ３３、３５および第２分割データ３４から圧縮画像データ３２への復元について説明する。復元においては、分割情報に基づいて復元する。ここでは、上記において、第１分割データ３３、３５として２つ、第２分割データ３４として１つ、計３分割している。また、第１分割データ３３となる定型部３２ａが先頭に配置され、その後に第２分割データ３４となる内容部３２ｂの前部分が配置され、さらに、その後に第１分割データ３５となる内容部３２ｂの後部分が配置される構成である。したがって、まず、第１分割データ３３となる定型部３２ａの後ろに第２分割データ３４となる内容部３２ｂの前部分を配置する。次に、第２分割データ３４となる内容部３２ｂの前部分の後ろに第１分割データ３５となる内容部３２ｂの後部分を配置する。このようにして、圧縮画像データ３２へ復元する。ここで、制御部１１は、復元手段として作動する。このように、ハードディスク１７およびＵＳＢメモリ２４から、分割された分割データを読出し、デジタル複合機１０に設けられた復元手段を用いて、圧縮画像データ３２に復元することができる。
【００４６】
圧縮画像データ３２に復元後、制御部１１は、圧縮画像データ３２を伸張して元の画像データ３１に戻す（Ｓ２５）。このように、デジタル複合機１０に設けられた伸張手段を用いて、圧縮手段により圧縮された圧縮画像データ３２を伸張することができる。
【００４７】
元の画像データ３１に伸張された後、制御部１１は、画像データ３１から、画像を形成する（Ｓ２６）。
【００４８】
なお、上記の実施の形態においては、画像データ３１を圧縮してから分割する例を説明したが、これに限らず、画像データ３１を圧縮せずに分割することにしてもよい。すなわち、画像データ３１を圧縮せずに、そのまま分割手段により第１分割データおよび第２分割データに分割し、これらをハードディスク１７およびＵＳＢメモリ２４にそれぞれ保存するようにしてもよい。
【００４９】
また、上記の実施の形態においては、圧縮画像データ３２を第１分割データ３３、３５として２つ、第２分割データ３４として１つ、計３分割する例を説明したが、これに限らず、第１分割データとして２つ以上、第２分割データとして２つ以上、分割してもよいし、第１分割データとして１つ、第２分割データとして１つ、計２分割してもよい。図６は、圧縮画像データ３２を第１分割データ３６として１つ、第２分割データ３７として１つ、計２分割した例を示す概念図である。図６を参照して、第１分割データ３６、第２分割データ３７として１つずつに分割されている。また、第１分割データ３６は、定型部３２ａである。第２分割データ３７は、内容部３２ｂである。こうすることにより、デジタル複合機１０に保存される第１分割データ３６は、定型部３２ａとなる。定型部３２ａは、上記した通り、画像の属性情報を示す部分である。そうすると、誰もが利用できるデジタル複合機１０に保存された第１分割データ３６のみを用いて、元の画像データ３１を再現することは、困難である。したがって、画像データ３１の秘匿性をより向上することができる。
【００５０】
また、上記の実施の形態においては、外部記憶装置として、ＵＳＢメモリ２４を利用することとしたが、これに限らず、例えば、ＩＣカードや携帯電話等のように、データを保存でき、デジタル複合機１０から着脱可能な外部記憶装置であればよい。
【００５１】
また、ＵＳＢメモリ２４は、それ自身を識別する識別情報を含み、デジタル複合機１０は、識別情報によりデータを保存可能なＵＳＢメモリ２４であるか否かを判断する判断手段を備えることとしてもよい。ここで、制御部１１は、判断手段として作動する。こうすることにより、デジタル複合機１０は、識別情報からデータを保存するＵＳＢメモリ２４を判断して第２分割データを保存することができる。そうすると、識別情報により第２分割データが保存されたＵＳＢメモリ２４を特定することができる。したがって、より確実に特定のＵＳＢメモリ２４に第２分割データを保存することができ、また、復元も容易である。
【００５２】
さらに、ＵＳＢメモリ２４にパスワードを付与し、デジタル複合機１０に装着したＵＳＢメモリ２４を利用する際、上記したパスワードを入力させてから、ＵＳＢメモリ２４を利用可能としてもよい。こうすることにより、ＵＳＢメモリ２４に保存する画像データ３１の秘匿性をより向上することができる。
【００５３】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【図面の簡単な説明】
【００５４】
【図１】この発明の一実施形態に係る画像形成システムの全体構成を示すブロック図である。
【図２】画像データの一般的な構成を示す概念図である。
【図３】圧縮画像データの一般的な構成を示す概念図である。
【図４】デジタル複合機に画像データを保存する場合のフローチャートである。
【図５】デジタル複合機およびＵＳＢメモリに保存した圧縮画像データから、ユーザが画像を形成する場合のフローチャートである。
【図６】圧縮画像データを第１分割データとして１つ、第２分割データとして１つ、計２分割した例を示す概念図である。
【符号の説明】
【００５５】
９  画像形成システム、１０  デジタル複合機、１１  制御部、１２  ＤＲＡＭ、１３  操作部、１４  原稿送り装置、１５  画像読取り部、１６  画像形成部、１７  ハードディスク、１８  ＦＡＸ通信部、１９  ネットワークＩＦ部、２０  公衆回線、２１  ネットワーク、２２  パソコン、２３  外部記憶装置接続部、２４  ＵＳＢメモリ、３１  画像データ、３１ａ，３２ａ  定型部、３１ｂ，３２ｂ  内容部、３２  圧縮画像データ、３３，３５，３６  第１分割データ、３４，３７  第２分割データ。
【図１】
2009000938.tif 000003
【図２】
2009000938.tif 000004
【図３】
2009000938.tif 000005
【図４】
2009000938.tif 000006
【図５】
2009000938.tif 000007
【図６】
2009000938.tif 000008